【手続補正書】
【提出日】平成26年2月27日(2014.2.27)
【手続補正１】
【補正対象書類名】特許請求の範囲
【補正対象項目名】全文
【補正方法】変更
【補正の内容】
【特許請求の範囲】
【請求項１】
繊維ウェブ機の繊維ウェブ形成工程の標的懸濁液中に炭酸カルシウムをインラインで製造する方法であって、前記繊維ウェブ形成工程の標的懸濁液が次の成分、すなわち、バージンパルプ懸濁液、再生パルプ懸濁液、添加剤懸濁液、そして、固体含有濾液の少なくとも１種を含み、前記標的懸濁液を輸送する送液管の一部であるＰＣＣ反応器（１０、１０’、１０’’）中で炭酸カルシウムが製造され、
ａ．反応器（１０、１０’、１０’’）に、反応器（１０、１０’、１０’’）内の、又はそれに連結された装置の表面上へのＰＣＣの析出を防止するための手段、すなわち、電極（１６、２０）、永久磁石、電磁石（５０、５２）、及びＰＣＣが固着することのできない材料の中の１つを具備させるステップと、
ｂ．二酸化炭素及び石灰乳の少なくとも一つを、反応器（１０、１０’、１０’’）の内部を流れる前記標的懸濁液に、前記二酸化炭素及び石灰乳を前記標的懸濁液中で混合するための少なくとも１つのインジェクションミキサー（２４、２４’、２４’’）を使用することによって導入するステップと、
ｃ．炭酸カルシウムの結晶を形成するための反応器（１０、１０’、１０’’）中で前記化学物質を互いに反応させ、それによって、前記防止手段が、反応ゾーンと呼ばれる前記化学物質が反応する長さで、本質的に反応器（１０、１０’、１０’’）と連結して配置されるステップと、
を有することを特徴とする、前記製造方法。
【請求項２】
少なくとも１つの電極棒（１６）を、反応器（１０、１０’、１０’’）の内部に配置すること、前記電極棒（１６）に対して絶縁された少なくとも１つの電極（２０）を、前記反応器（１０、１０’、１０’’）の内部表面上に、電極棒（１６）が前記反応器（１０、１０’、１０’’）の反応ゾーンの全長まで本質的に伸びるように配置すること、及び一方の電極がカソードを形成し且つ他方の電極がアノードを形成するように、電極（１６及び２０）に電流を流し、それによって、アノードの近くに形成される低ｐＨのゾーンが、反応器（１０、１０’、１０’’）の内部表面上での析出物の形成を防止することを特徴とする、請求項１に記載の方法。
【請求項３】
電極棒（１６）を清浄に維持するために、電極対（１６、２０）の極性を変更するように制御系（１８）を配置することを特徴とする、請求項２に記載の方法。
【請求項４】
制御系（１８）が、プリセットタイマーに基づいて極性を変更すること、又は制御系（１８）が、前記電極棒（１６）と前記少なくとも１つの電極（２０）との間の電圧が参照値を超える場合に、極性を変更することを特徴とする、請求項３に記載の方法。
【請求項５】
制御系（１８）が、前記電極棒（１６）と前記少なくとも１つの電極（２０）との間の電圧が参照値に復帰する場合に、極性を初期状態に戻すことを特徴とする、請求項４に記載の方法。
【請求項６】
永久磁石又は電磁石（５０）が、前記反応器（１０、１０’、１０’’）の外側に配置されることを特徴とする、請求項１に記載の方法。
【請求項７】
コイル（５０）を、前記反応器（１０、１０’、１０’’）の外表面に導電体（５２）を巻きつけることによって配置し、前記反応器（１０、１０’、１０’’）の周囲において制御系（１８）に連結することを特徴とする、請求項６に記載の方法。
【請求項８】
コイル（５０）によって形成される磁界の方向又は強度が、制御系（１８）によって変更されることを特徴とする、請求項７に記載の方法。
【請求項９】
結晶化反応の伝搬を、１つ又は複数のｐＨセンサー、導電率センサーによって、又はトモグラフィーによって監視することを特徴とする、請求項１から８のいずれか一項に記載の方法。
【請求項１０】
繊維ウェブ機の繊維ウェブ形成工程の標的懸濁液中に炭酸カルシウムをインラインで製造するための反応器であって、繊維ウェブ形成工程の標的懸濁液が次の成分、すなわち、長繊維パルプ、短繊維パルプ、機械パルプ、化学機械パルプ、化学パルプ、ミクロ繊維パルプ、ナノ繊維パルプのバージンパルプ懸濁液と、再生パルプ、リジェクト、繊維回収フィルターからの繊維画分の再生パルプ懸濁液と、添加剤懸濁液と、固体含有濾液の少なくとも１種とを含み、反応器（１０、１０’、１０’’）が、前記反応器（１０、１０’、１０’’）の内表面を炭酸カルシウムの析出物から清浄に維持するための手段（１４，１４’、１６、１８、２０、５０、５２）、すなわち電極（１６、２０）、永久磁石、電磁石（５０、５２）、及びＰＣＣが固着できない材料の中の１つを、少なくとも二酸化炭素又は石灰乳を前記反応器（１０、１０’、１０’’）及び前記標的懸濁液中に導入し混合するための噴射手段（２４、２４’、２４’’）を具備し、それによって、二酸化炭素及び石灰乳が、前記反応器（１０、１０’、１０’’）中を流れる前記標的懸濁液中に添加され、前記標的懸濁液中で混合されている前記二酸化炭素及び石灰乳並びに前記化学物質を、炭酸カルシウムの結晶を形成するために、前記反応器（１０、１０’、１０’’）中で一緒に反応させることを特徴とする、上記反応器。
【請求項１１】
表面を清浄に維持するための手段が、反応器（１０）の内部に反応器（１０）の壁から一定の距離に配置された少なくとも１つの電極棒（１６）、及び反応器（１０）の壁の表面上に位置する少なくとも１つの他の電極（２０）、並びに表面を清浄に維持するための手段を制御するための制御手段（１８）を含み、前記制御手段（１８）が、電流源及び制御系を含むことを特徴とする、請求項１０に記載の反応器。
【請求項１２】
前記電極棒（１６）が、アーム（１４、１４’）によって反応器（１０）の壁に支持されていることを特徴とする、請求項１１に記載の反応器。
【請求項１３】
前記電極棒（１６）が、反応器（１０）として機能する送液管（１２）から絶縁されていることを特徴とする、請求項１１に記載の反応器。
【請求項１４】
前記電極棒（１６）が、反応器（１０）中の本質的に中央に配置されていることを特徴とする、請求項１１に記載の反応器。
【請求項１５】
前記の二酸化炭素又は石灰乳の導入手段（２４、２４’、２４’’）が、同時に、前記二酸化炭素又は石灰乳を標的懸濁液中で混合するための装置として機能することを特徴とする、請求項１０に記載の反応器。
【請求項１６】
前記永久磁石又は電磁石（５０）が、反応器（１０）の周囲に配置されていることを特徴とする、請求項１０に記載の反応器。
【請求項１７】
前記電磁石（５０）が、反応器（１０）の周囲に巻かれた導電体（５２）によって構成され、制御系（１８）に連結されていることを特徴とする、請求項１６に記載の反応器。
【請求項１８】
前記反応器（１０）が、少なくとも１つの測定装置（２２）を具備し、前記装置によって、例えば、反応器（１０）中での結晶化反応の伝搬を監視、制御又は調節することが可能であることを特徴とする、請求項１０から１７のいずれか一項に記載の反応器。
【請求項１９】
前記反応器（１０）中に具備された少なくとも１つの測定装置（２２）が、トモグラフィー装置、ｐＨ値を測定するセンサー、又は導電率を測定するセンサーであることを特徴とする、請求項１８に記載の反応器。
【請求項２０】
２つのセンサーが、ｐＨ値を測定するために反応器の内部に配置され、その一方が、反応器（１０）中の化学薬品の導入の前に位置し、他方が、反応ゾーンの終点又はその後に位置していることを特徴とする、請求項１９に記載の反応器。
【請求項２１】
前記反応器（１０）が、炭酸カルシウムの結晶が固着しない材料で作製又は被覆されていること、当該材料がポリアミド、ＰＥ樹脂、各種ポリウレタン、Ｔｅｆｌｏｎ（登録商標）などの各種フッ化化合物、ワックス、シリコーン及びエポキシ樹脂、合成ゴム、天然ゴム及びＥＰＤＭ（エチレンプロプロピレンジエンモノマー）の少なくとも一種、又はナノ表面を有する材料であることを特徴とする、請求項１０に記載の反応器。
【請求項２２】
反応器（１０）を清浄に維持ための前記手段が、反応器（１０）の内部において後の化学物質の導入点の下流に配置され、本質的に反応ゾーンの全長まで伸びていることを特徴とする、請求項１０から２１までのいずれか一項に記載の反応器。